(57)【要約】【課題】陳列時等に、防湿性及び防塵性に低下が生じるのを確実に防止して、シート体の品質が低下することなく保存可能とする。【解決手段】包装袋１０は、底部２０及びサイド部２４、２６がシールされており、底部側のペーパー収容部１８にペーパー１２を収容し、封止部２２をシールすることにより密封される。封止部には、フック孔４０が形成されており、フック孔を用いて包装袋を吊り下げらることができる。この包装袋は、ノッチ３６及びミシン目３８を用いて、封止部を切除することにより、ペーパー収容部と封止部の間に設けられた内部が中空の開封部を開封して、ペーパーを取り出すことができる。また、ペーパー収容部と開封部の間に、ジッパー２８が設けられており、ジッパーによってペーパー収容部を再封することにより、ペーパーの保存が可能となる。【選択図】        図１
2005022723.tif 000002
【特許請求の範囲】
【請求項１】
所定枚数のシート体を密封して収容するシート体用包装袋であって、
重ね合わせた包装用フィルムの周囲をシールすることにより前記シート体のサイズ及び厚さに合わせて形成されて、シート体を抜き差しする開口と反対側の端部に偏奇してシート体を収容するを袋体と、
前記袋体の前記開口側に設けられて、袋体内の前記シート体を収容した状態で該開口側を閉塞して袋体内を密封すると共に、袋体から切除されることにより袋体からのシート体の抜き差しが可能となる封止部と、
前記封止部と前記シート体が収容されるシート体収容部の間に設けられて封止部が切除されたときにシート体収容部を封止可能する再封手段と、
前記袋体の前記封止部に設けられて前記シート体を収容した前記袋体を吊り下げ可能とする吊下げ手段と、
を含むことを特徴とするシート体用包装袋。
【請求項２】
前記吊り下げ手段が、前記封止位置に形成されたフック孔であることを特徴とする請求項１に記載のシート体用包装袋。
【請求項３】
前記再封手段が、前記包装用フィルムの間に設けられたジッパーであることを特徴とする請求項１又は請求項２に記載のシート体用包装袋。
【請求項４】
前記再封手段が、前記包装用フィルムの間に設けられた粘着剤であることを特徴とする請求項１又は請求項２に記載のシート体用包装袋。
【発明の詳細な説明】
【０００１】
【発明の属する技術分野】
本発明は、インクジェット用紙などの保存時に防湿性、防塵性等が要求されるシート体を封入するシート体用包装袋に関する。
【０００２】
【従来の技術】
デジタルカメラ、インクジェット方式のプリンタの普及に伴って、インクジェット用紙の需要が高くなっている。インクジェット方式のプリンタに用いる記録紙には、ドット状のインキに対して吸収性が良く、かつ、平面方向の広がりが少なことが要求される。
【０００３】
ドット状のインキに対して吸収性が高く、かつ、平面公報へのインキの広がりが防止されたインクジェット用紙が開発され、このインクジェット用紙がインクジェット方式のプリンタに多用されている。
【０００４】
一方、インクジェット用紙は、光沢仕上げ、写真仕上げ、片面タイプ、両面タイプ等の多品種にわたり、また、それぞれの品種においてＡ４サイズ〜Ａ６サイズ、はがきサイズ、Ｂ４、Ｂ５サイズに加えて、Ｌサイズ、２Ｌサイズ等の多種類にわたっており、印刷出力する画像に応じて適正な品種及びサイズの選択が可能となっている。
【０００５】
このようなインクジェット用紙は、所定枚数ずつ包装されている。このとき、多品種、多サイズにわたるため、インクジェット用紙を包装している包装袋には、ハンガー孔が設けられており、販売時には、このハンガー孔にハンガーを通して包装袋を吊り下げて陳列するようにしている。
【０００６】
ところで、インクジェット用紙は、包装袋を開封して必要枚数だけ取り出されて使用され、残ったインクジェット用紙は、包装袋に入れられた状態で保存されるのが一般的となっている。
【０００７】
一方、インクジェット用紙の印字品質を保障するためには、開封後の包装袋に対する防湿性、防塵性等が要求される。ここから、インクジェット用紙の包装袋として、包装袋の開口部の一端を延長して閉蓋部を形成し、この閉蓋部を折り返して、粘着することにより、封止するようにした包装袋が提案されており、粘着剤等を用いることにより再封が可能となっている（例えば、特許文献１参照。）。
【０００８】
【特許文献１】
特開平９−２９０８６６号公報
【０００９】
【発明が解決しようとする課題】
しかしながら、開口側に閉蓋部を設けて封止しようとするときに、フック孔を開口と反対側の端部に設けることになる。このために、包装袋は、開口側が下方となって吊り下げられることになり、包装しているシート体の自重によって閉蓋部にズレが生じ、防湿性、防塵性が損なわれてしまうことがあり、これにより、収納しているシート体の製品品質の低下が生じてしまう懸念がある。
【００１０】
本発明は上記事実に鑑みてなされたものであり、開封性、再封性等を損ねることなく確実な防湿性及び防塵性を維持し、インクジェット用紙などのシート体を包装可能とするシート体用包装袋を提案することを目的とする。
【００１１】
【課題を解決するための手段】
上記目的を達成するために本発明は、所定枚数のシート体を密封して収容するシート体用包装袋であって、重ね合わせた包装用フィルムの周囲をシールすることにより前記シート体のサイズ及び厚さに合わせて形成されて、シート体を抜き差しする開口と反対側の端部に偏奇してシート体を収容するを袋体と、前記袋体の前記開口側に設けられて、袋体内の前記シート体を収容した状態で該開口側を閉塞して袋体内を密封すると共に、袋体から切除されることにより袋体からのシート体の抜き差しが可能となる封止部と、前記封止部と前記シート体が収容されるシート体収容部の間に設けられて封止部が切除されたときにシート体収容部を封止可能する再封手段と、前記袋体の前記封止部に設けられて前記シート体を収容した前記袋体を吊り下げ可能とする吊下げ手段と、を含むことを特徴とする。
【００１２】
この発明によれば、包装用フィルムによって袋状に形成した袋体の、開口側と反対側にシート収容部を設けて、シート体を偏奇して収容する。また、開口側は封止部となっており、シート体を袋体内に収容した状態で袋体内を密封し、袋体から封止部を切除することにより、シート体の抜き差しが可能となる。
【００１３】
また、袋体には、シート体収容部と封止部の間に再封手段を設けて、封止部を切除した状態でも、シート体収容部を封止可能としている。
【００１４】
これにより、シート体の一部を袋体から抜き出しても、残ったシート体を防湿、防塵状態で保存することができる。
【００１５】
一方、封止部には、吊下げ手段が設けられており、この吊下げ手段によって袋体を吊り下げて、陳列、保存等を行うことができる。
【００１６】
このときに、シート体を収容したシート体収容部側が下方となるように吊り下げられるため、シート体の重さ等によって密封性が損なわれてしまうのを確実に防止することができる。
【００１７】
このような本発明のシート体用包装袋は、前記吊り下げ手段が、前記封止位置に形成されたフック孔であることが好ましく、これにより、陳列等が容易となる。
【００１８】
また、本発明のシート体用包装袋としては、前記再封手段が、前記包装用フィルムの間に設けられたジッパーであっても良く、前記再封手段が、前記包装用フィルムの間に設けられた粘着剤であっても良い。
【００１９】
さらに、本発明に適用される再封手段としては、これらに限らず、開封可能であると共に、確実にシート体収容部を封止可能とであれば良い。
【００２０】
【発明の実施の形態】
以下に図面を参照しながら本発明の実施の形態を説明する。図１には、本実施の形態に係るシート体用包装袋である包装袋１０の概略構成を示している。
【００２１】
図２に示すように、本実施の形態では、シート体としてインクジェットプリンタに用いられる記録紙であるインクジェットペーパー（以下、単に「ペーパー１２」とする）を適用し、所定枚数のペーパー１２を重ねて、包装袋１０に収容し、ペーパー１２の包装品１４を形成する。なお、包装袋１０にペーパー１２を収容するときには、ペーパー１２と略同じサイズの図示しない当て紙を重ねて、ペーパー１２の折れ等を防止するようにしても良い。
【００２２】
ペーパー１２は、インキの吸収性に優れ、また、吸収したインキの平面方向の広がりが少なくなっている。これにより、図示しないインクジェットプリンタを用いてペーパー１２に画像を印刷することにより、インキの滲みのない高品質の画像を形成することができるようになっている。
【００２３】
このようなペーパー１２には、例えば光沢仕上げ、写真仕上げ、片面タイプ、両面タイプ等の多品種があり、また、それぞれの品種において、Ａ４サイズ〜Ａ６サイズ、はがきサイズ、Ｂ４、Ｂ５サイズに加えて、Ｌサイズ、２Ｌサイズ等の多種サイズがある。また、ペーパー１２は、所定枚数ずつ、品種、サイズ別に包装袋１０に収容されるようになっている。なお、ペーパー１２としては、従来公知の各種の製品を使用することができ、また、一つの包装袋１０に収容するペーパー１２の数は、予め設定したものであれば任意で良い。
【００２４】
本実施の形態に適用したペーパー１２は、原反から引き出したウエブを所定幅で裁断すると共に所定長さに切断することにより形成される。また、このようなペーパー１２としては、長手方向がウエブの長手方向となるように裁断及び切断されて形成されているものであることが好ましい。
【００２５】
図１及び図２に示すように、包装袋１０は、包装用フィルム１６を用い、収容するペーパー１２のサイズに応じた矩形形状に形成される。この包装用のフィルム１６は、防湿性を備えると共に、ペーパー１２を包装したときに、防塵性を持たせることができるものであれば、従来公知の任意の材質を適用することができる。
【００２６】
この包装袋１０は、所定枚数のペーパーを収容したときに、幅方向が略ペーパー１２の幅寸法と略一致し、長手方向がペーパー１２の長さ寸法よりも長くなっている。
【００２７】
図１に示すように、包装袋１０は、長手方向の一端側がペーパー収容部１８となっており、包装袋１０は、長手方向の一端側（ペーパー収容部１８側）が底部２０となっている。また、包装袋１０は、ペーパー１２の幅方向に沿った両側がサイド部２４、２６となっており、底部２０と反対側である長手方向の他端側に封止部２２を形成するようになっており、包装袋１０は、底部２０、封止部２２及びサイド部２４、２６のそれぞれがシールされていることにより内部が密閉される。
【００２８】
ペーパー１２は、この底部２０側に寄せられて包装袋１０（ペーパー収容部１８）内に収容されるようになっており、このような包装袋１０は、４方シール方式、３方シール方式、サイドシール方式などの任意のシール方式を用いて形成することができる。
【００２９】
例えば四方シール方式で包装袋１０を形成する時には、２枚の包装用フィルム１６を重ね、ペーパー１２のサイズに合わせて、封止部２２を除く底部２０及びサイド部２４、２６の３辺を溶断することによりシールして、封止部２２側が開口となるように袋状に形成し、開口側からペーパー１２を挿入した後に、シールして封止部２２を形成すればよい。
【００３０】
また、三方シール方式で包装袋１０を形成する時には、所定幅の包装用フィルム１６を、幅方向の中間部で折り返すことにより底部２０を形成し、折り返した包装用フィルム１６をペーパー１２の幅寸法に応じた長さ切断ないし溶断しながら溶断部分近傍を接合することによりサイド部２４、２６を形成する。この後に、ペーパー１２を挿入してシールすることにより閉塞して封止部２２を形成すればよい。
【００３１】
なお、三方シール方式で包装袋１０を形成する時には、包装用フィルム１６を折り返すことによりサイド部２４、２６の一方（例えばサイド部２４）を形成し、底部２０側及びサイド部２４、２６の他方（例えばサイド部２６）側をシールすることにより、底部２０及びサイド部２６を形成するようにしても良い。
【００３２】
このようにして底部２０やサイド部２４、２６を形成するときのシール方法としては、直接シール、インパルスシール、高周波シール、超音波シール等のヒートシール方式や、溶断シール方式等の、内部を密封可能とするシール方法であれば、従来公知の任意の手法を用いることができる。
【００３３】
ペーパー１２は、このように形成した包装袋１０内に、封止部２２側の開口から挿入されて収容される。
【００３４】
包装袋１０内にペーパー１２を収容し、封止部２２を形成することにより、ペーパー１２の挿入に用いた開口を閉塞する。このとき、封止部２２は、包装袋１０の長手方向の先端から所定幅で、包装用フィルム１６を接合することにより形成される。
【００３５】
このような封止部２２の形成には、熱板等を用いて、２枚の包装用フィルム１６を所定幅で接合するヒートシールを適用することができる。なお、封止部２２の形成方法は、これに限らず、所定幅で包装用フィルム１６を接合するものであれば任意の方法を適用することができる。また、封止部２２としては、包装袋１０の開口側の所定範囲を、ペーパー収容部１８と仕切りことができるものであれば良い。
【００３６】
包装袋１０は、封止部２２が形成されることにより密閉され、湿気や塵埃等の進入が防止される。
【００３７】
ところで、図１及び図３に示すように、包装袋１０には、ペーパー収容部１８と封止部２２の間に、再封手段を形成するジッパー２８が設けられている。
【００３８】
図３に示すように、ジッパー２８は、一方の包装用フィルム１６に設けられている筋状の凸部３０と、この凸部３０に対向した溝状の凹部３２によって形成された一般的構成となっており、凸部３０と凹部３２が包装袋１０の幅方向に沿って設けられている。
【００３９】
また、図１及び図３に示すように、ジッパー２８は、ペーパー収容部１８側に偏奇して設けられており、これにより、包装袋１０には、封止部２２とジッパー２８の間に、内部が中空の開封部３４が形成されている。
【００４０】
包装袋１０は、このジッパー２８の凸部３０と凹部３２を噛合させることにより、ペーパー収容部１８側と開封部３４側が遮断される。また、包装袋１０は、ジッパー２８を開く（凸部３０と凹部３２の噛合を解除）することにより、ペーパー収容部１８と開封部３４が連通されて、ペーパー収容部１８内のペーパー１２が開封部３４側へ入り込むように移動可能となっている。
【００４１】
また、開封部３４には、封止部２２側に、開封手段としてノッチ３６が形成されている。このノッチ３６は、包装袋１０の一方のサイド部２４に略三角形状の切込みとして形成されている。なお、ノッチ３６による切込みは、開封部３４の中空部分に達しておらず、これにより、ノッチ３６が形成されていることにより包装袋１０内の機密性が損なわれてしまうことがないようにしている。
【００４２】
包装袋１０には、開封手段としてノッチ３６からペーパー１２の幅方向に沿ってミシン目３８が形成されている。このミシン目３８は、例えば、包装用フィルム１６に所定間隔で凹部が断続的に形成されている。なお、ミシン目３８を形成する凹部は、包装用フィルム１６を貫通せずに、包装用フィルム１６を部分的に脆弱にする程度に形成されている。
【００４３】
包装袋１０は、このノッチ３６とミシン目３８によって、ペーパー１２の幅方向に沿って容易に引き裂くことができるようになっている。また、包装袋１０は、ノッチ３６及びミシン目３８に沿って切り裂かれることにより、封止部２２が切除されて、開封部３４内が開放される。
【００４４】
これにより、包装袋１０は、ペーパー収容部１８に収容されているペーパー１２が引出し可能となるようにしている。
【００４５】
すなわち、包装袋１０は、開封部３４を開放した状態で、ジッパー２８によるペーパー収容包部１８と開封部３４の間の封止を解除することにより、ペーパー収容部１８内のペーパー１２を開封部３４の開口から引き出すことができる。
【００４６】
また、包装袋１０は、開封部３４を開放した状態であっても、ジッパー２８によってペーパー収容部１８内を封止することができるようになっており、これにより、包装袋１０は、封止部２２を切除して開封部３４を開放した状態であっても、ジッパー２８によってペーパー収容部１８内を再封することができるようになっている。
【００４７】
一方、包装袋１０の封止部２２には、吊下げ手段としてフック孔４０が形成されている。フック孔４０は、包装袋１０の幅方向の中間部に、互いに重ねられた２枚の包装用フィルム１６を貫通する丸孔、長円孔、楕円孔等として形成されている。
【００４８】
これにより、包装袋１０を用いてペーパー１２を収容した包装品１４は、図示しないフック等をフック孔４０へ挿入することにより、吊り下げることができるようになっている。
【００４９】
このように構成されている包装袋１０に所定枚数のペーパー１２を収容して形成された包装品１４は、フック孔４０に図示しないフックを挿入して吊り下げて陳列可能となっている。
【００５０】
これにより、ペーパー１２を販売するときに、多種類、多サイズに渡るペーパー１２のそれぞれを収容している包装品１４を、効率的に陳列することができる。
【００５１】
このとき、包装袋１０の下端となる底部２０が確実にシールされていることにより、内部に収納しているペーパー１２の重さ等によって包装袋１０の機密性が損なわれ、湿気や塵埃等が、包装袋１０内に入りこんで、ペーパー１２の品質を損ねてしまうことがなく、長期に渡ってペーパー１２の品質を保持することができる。
【００５２】
一方、包装袋１０内に収容されているペーパー１２を最初に使用するときには、包装袋１０から封止部２２を切除する。この封止部２２の切除は、包装袋１０にノッチ３６及びミシン目３８を形成していることにより極めて容易となっている。
【００５３】
これにより、包装袋１０は、開封部３４が開放され、ペーパー収容部１８と開封部３４との間に設けているジッパー２８を開くことにより、開封部３４の開口からペーパー１２を取り出すことができる。
【００５４】
なお、本実施の形態では、開封手段としてノッチ３６とミシン目３８を形成しているが、ノッチ３６又はミシン目３８の何れか一方（例えばミシン目３８）のみを設けても良く、また、開封手段としては、これらに限らず、包装袋１０の内部の機密性を損ねることなく、封止部２２の切除を容易するするものであれば、任意の手法を用いることができる。
【００５５】
一方、残ったペーパー１２を保存する時には、そのペーパー１２を開封部３４の開口からペーパー収容部１８へ挿入し、この後に、ジッパー２８によってペーパー収容部１８内を封止する。
【００５６】
これにより、包装袋１０は、防湿及び防塵状態で、ペーパー１２を保存できるので、保存するペーパー１２の品質が損なわれてしまうことがない。
【００５７】
このように本実施の形態に適用した包装袋１０は、フック孔４０を用いて吊下げ状態で陳列、保存するときににも、防湿性、防塵性が損なわれることがないので、長期に渡ってペーパー１２の品質を保持することができる。
【００５８】
また、包装袋１０は、封止部２２を切除することによりペーパー１２の取り出しが可能となり、ノッチ３６及びミシン目３８が形成されていることにより、封止部２２の切除を容易にかつ、適正な位置で行うことができる。
【００５９】
さらに、包装袋１０は、封止部２２を切除することにより開放される開封部と、ペーパー１２を収容しているペーパー収容部１８の間に、ジッパー２８を設けていることにより、確実な再封が可能となっており、これにより、開封後であっても、ペーパー１２を防湿、防塵状態で保存することができる。
【００６０】
なお、以上説明した本実施の形態は、本発明の構成を限定するものではない。例えば、本実施の形態では、再封手段として、ジッパー２８を用いたが、再封手段は、これに限るものではなく、例えば、各種の粘着性テープ、ホットメルト系粘着剤などの各種の粘着剤等、開封性及び再封性に優れ、かつ機密性に優れたものであれば任意の構成を適用することができる。
【００６１】
また、本実施の形態では、４方シール方式、３方シール方式、サイドシール方式などによって形成するように説明したが、本発明のシート体用包装袋は、ピロー包装等によって所定枚数のペーパー１２を包装用フィルム１６によって挟んだ状態で、底部２０、封止部２２及びサイド部２４、２６等を形成したものであっても良い。
【００６２】
すなわち、帯状の包装用フィルム１６を用い、図４に示すように、この包装フィルム１６の幅方向の両端部を折り返すことにより、サイド部２４、２６を形成する。このときに、折り返した包装用フィルム１６の幅方向の両端部を重ねて接合することにより、センターシール５０を形成しながらペーパー１２を包み込む。
【００６３】
また、ペーパー１２を包んだ包装用フィルム１６の長手方向の一端側をペーパー１２の近傍で溶断しながらシールすることにより底部２０を形成し、ペーパー１２がこの底部２０側となるようにする（ペーパー収容部１８とする）。
【００６４】
この後に、筒体状に形成した包装用フィルム１６を、所定長さで切断しながら、封止部２２及び開封部３４を形成すると共に、封止部３４にフック孔４０を穿設する。これにより、包装袋１０内にペーパー１２を密封した包装品１６を生産する。
【００６５】
このときに、ペーパー収容部１８と開封部３４の間となる位置に、予め粘着テープ５２等を貼付するか、粘着剤と塗布しておくことにより、再封手段を設けることができる。
【００６６】
このように、本発明のシート体用包装袋は、少なくともペーパー１２を収容した状態で、ペーパー収容部１８、封止部２２及び開封部３４が形成されたものであれば、任意の形成方法及びペーパー１２の収納方法を適用することができる。
【００６７】
さらに、本実施の形態では、シート体としてインクジェットペーパーであるペーパー１２を例に説明したが、本発明が適用されるシート体包装袋は、保存時に防湿性、防塵性が要求される任意のシート体の収納に適用することができる。
【００６８】
【発明の効果】
以上説明したように本発明によれば、吊下げ手段によって吊り下げた状態で陳列ないし保存するときにも、防湿性、防塵性が損なわれてしまうことがなく、長期に渡って収容しているシート体の品質を保持することができるという優れた効果が得られる。
【図面の簡単な説明】
【図１】本実施の形態に適用した包装袋を示す概略斜視図である。
【図２】包装袋へのペーパーの収納を示す概略図である。
【図３】包装袋の封止部近傍を示す概略斜視図である。
【図４】本発明を適用した包装袋の他の一例を示す概略斜視図である。
【符号の説明】
１０    包装袋（シート体用包装袋）
１２    ペーパー（インクジェットペーパー、シート体）
１４    包装品
１６    包装用フィルム
１８    ペーパー収容部（シート体収容部）
２２    封止部
２８    ジッパー（再封手段）
３４    開封部
３６    ノッチ（開封手段）
３８    ミシン目（開封手段）
４０    フック孔（吊下げ手段）
【図１】
2005022723.tif 000003
【図２】
2005022723.tif 000004
【図３】
2005022723.tif 000005
【図４】
2005022723.tif 000006